(57)【要約】【課題】本発明は、輝度の減少を減らし、コントラスト比を改善できるフィルターを含むプラズマディスプレイ装置を提供する。【解決手段】本発明のプラズマディスプレイ装置は、プラズマディスプレイパネルから出力された光を集光する集光層と、前記光が通過する光透過層とを含むフィルターを含む。  本発明のプラズマディスプレイ装置は、輝度とコントラスト比とを向上させ、電磁波を遮蔽させる。【選択図】  図４
2006163422.tif 000002
【特許請求の範囲】
【請求項１】
光を放出するプラズマディスプレイパネルと、
該プラズマディスプレイパネルの上部に位置し、前記光を集光する集光層と、該集光層上に位置し、前記集光された光が透過する複数個の開口部が形成される光透過層とを含むフィルターと、
を含むことを特徴とするプラズマディスプレイ装置。
【請求項２】
前記光透過層は、導電性メッシュ層であることを特徴とする請求項１に記載のプラズマディスプレイ装置。
【請求項３】
前記導電性メッシュ層は、黒色の導電性物質からなることを特徴とする請求項２に記載のプラズマディスプレイ装置。
【請求項４】
前記導電性メッシュ層は、接地されることを特徴とする請求項２に記載のプラズマディスプレイ装置。
【請求項５】
前記導電性メッシュ層は、銅メッシュ層であることを特徴とする請求項２に記載のプラズマディスプレイ装置。
【請求項６】
前記銅メッシュ層の表面は、酸化によって黒くなることを特徴とする請求項５に記載のプラズマディスプレイ装置。
【請求項７】
前記光透過層の表面は、酸化によって黒くなることを特徴とする請求項１に記載のプラズマディスプレイ装置。
【請求項８】
前記集光層は、複数個の単位レンズからなるマイクロレンズアレイであることを特徴とする請求項１に記載のプラズマディスプレイ装置。
【請求項９】
前記各単位レンズの形状は、前記プラズマディスプレイパネルに向かう方向に膨らんでいることを特徴とする請求項８に記載のプラズマディスプレイ装置。
【請求項１０】
前記一つの単位レンズの焦点は、一つの開口部に形成されることを特徴とする請求項８に記載のディスプレイ装置。
【請求項１１】
前記フィルターは、グラスフィルターまたはフィルムフィルターであることを特徴とする請求項１に記載のプラズマディスプレイ装置。
【請求項１２】
光を放出するプラズマディスプレイパネルの上部に配置されるフィルターにおいて、
前記プラズマディスプレイパネルの上部に位置し、前記光を集光する集光層と、
該集光層上に位置し、前記集光された光が透過する複数個の開口部が形成される光透過層と、
を含むことを特徴とするフィルター。
【請求項１３】
前記光透過層は、導電性メッシュ層であることを特徴とする請求項１２に記載のフィルター。
【請求項１４】
前記導電性メッシュ層は、黒色の物質からなることを特徴とする請求項１３に記載のフィルター。
【請求項１５】
前記導電性メッシュ層は、銅メッシュ層であることを特徴とする請求項１３に記載のフィルター。
【請求項１６】
前記銅メッシュ層の表面は、酸化によって黒くなることを特徴とする請求項１５に記載のフィルター。
【請求項１７】
前記光透過層の表面は、酸化によって黒くなることを特徴とする請求項１２に記載のフィルター。
【請求項１８】
前記集光層は、複数個の単位レンズからなるマイクロレンズアレイであることを特徴とする請求項１２に記載のフィルター。
【請求項１９】
前記各単位レンズの形状は、前記光透過層に向かう方向の反対方向に膨らんでいることを特徴とする請求項１８に記載のフィルター。
【請求項２０】
前記一つの単位レンズの焦点は、前記一つの開口部に形成されることを特徴とする請求項１８に記載のフィルター。
【発明の詳細な説明】
【技術分野】
【０００１】
本発明は、フィルターを含むプラズマディスプレイ装置に関する。
【背景技術】
【０００２】
通常、プラズマディスプレイパネルは、ソーダライム（Soda-lime）グラスからなる前面基板と後面基板とから構成される。前面基板と後面基板との間に形成された隔壁は、放電セルを画定する。放電セルの内部に注入されたヘリウム−キセノンＨｅ−Ｘｅ、ヘリウム−ネオンＨｅ−Ｎｅなどのような不活性ガスは、高周波電圧により放電を起こす。放電が起こる時、真空紫外線（Vacuum Ultraviolet rays）が発生し、真空紫外線が隔壁間に形成された蛍光体を発光させることにより画像が具現される。
【０００３】
図１は、従来のプラズマディスプレイ装置を概略的に示したものである。図１に示すように、従来のプラズマディスプレイ装置は、フロントキャビネット１１１及びバックカバー１１２（Back cover）を含むケース１１０と、ケース１１０に装着されるプラズマディスプレイパネル１２０と、プラズマディスプレイパネルを駆動するための駆動装置１３０と、駆動装置と接続されてプラズマディスプレイパネルの動作の際に発生する熱を放出させ、前記プラズマディスプレイパネルを支持するためのフレーム１４０とを含む。
【０００４】
また、従来のプラズマディスプレイ装置は、透明性ガラス基板（図示せず）にフィルムが取り付けられて形成されたフィルター１５０と、フィルター１５０を支持し、バックカバー１１２と電気的に接続されるフィンガースプリングガスケット１６０（Finger Spring Gasket）及びフィルター支持台１７０（Filter Supporter）と、駆動装置１３０とプラズマディスプレイパネル１２０とを支持するモジュールサポータ１８０（Module Supporter）と、を含む。
【０００５】
従来のプラズマディスプレイ装置は、プラズマ放電のために、高電圧及び高周波数の駆動パルスによって画像を具現するため、駆動パルスによって発生する電磁波がパネルグラスの前面を介して多く放出される問題がある。特に、プラズマディスプレイ装置が発生させる電磁波の量は、陰極線管（Cathode Ray Tube）や液晶ディスプレイパネルＬＣＤが発生させる電磁波の量より多い。
【０００６】
従来のプラズマディスプレイ装置は、Ｎｅ、Ｘｅのような不活性ガスによって発生する近赤外線ＮＩＲを放出する。従来のプラズマディスプレイ装置から放出される近赤外線は、家電製品のリモコンから出力される近赤外線の波長と非常に近く、誤作動を生じる問題がある。また、ＣＲＴやＬＣＤのように、外部光によるユーザの眩しさのような問題があり、その他、ディスプレイ装置の画質特性であるコントラスト比の低下のようないろんな問題を有している。
【０００７】
したがって、従来のプラズマディスプレイ装置は、電磁波や近赤外線を減らすか、除去できるフィルターを含む。プラズマディスプレイ装置のフィルターは、構造によって、グラスフィルターとフィルムフィルターとに分けられる。
【０００８】
図２は、従来のグラスフィルターを含むプラズマディスプレイ装置を示したものである。図２に示すように、従来のプラズマディスプレイ装置のグラスフィルターは、プラズマディスプレイパネル１２０から所定の間隔ほど離隔された透明ガラス基板１５１、透明ガラス基板１５１上に形成された反射防止フィルム層１５２（Anti Reflection Film）、透明ガラス基板１５１と隣接して近赤外線（Near Infra Red）遮蔽及び色を調節するカラーダイフィルム層１５３（Color-dye）及び電磁波を遮蔽するための電磁波遮蔽フィルム層１５４（EMI Film）を含む。透明ガラス基板１５１は、フィルターを形成するベースの役割を果たし、外部の衝撃からプラズマディスプレイパネルを保護する。
【０００９】
図３は、従来のフィルムフィルターを含むプラズマディスプレイ装置を示したものである。図３に示すように、従来のフィルムフィルター３５０は、電磁波遮蔽フィルム層１５４、カラーダイフィルム層１５３、反射防止フィルム層１５２を含む。従来のフィルムフィルターは、ラミネイティング法などでプラズマディスプレイパネルの前面基板１２１に直接取り付けられる。
【００１０】
従来のグラスフィルター及びフィルムフィルターの電磁波遮蔽フィルム層１５４は、コントラスト比の向上のために、メッシュタイプ（mesh type）の黒色層から形成される。黒色層は、外部からフィルターへ入射される光の透過率を低めて、プラズマディスプレイの表面から反射される光を減少させる。これにより、プラズマディスプレイ装置のコントラスト比が改善される。しかし、従来のグラスフィルターまたはフィルムフィルターに含まれた黒色層は、プラズマディスプレイの駆動の際、発生する光を遮断する。すなわち、フィルターに含まれた黒色層は、開口率を減らして輝度を減少させる。
【発明の開示】
【発明が解決しようとする課題】
【００１１】
本発明は、輝度の減少を減らし、コントラスト比を改善できるフィルターを含むプラズマディスプレイ装置を提供するためのものである。
【課題を解決するための手段】
【００１２】
本発明に係るプラズマディスプレイ装置は、光を放出するプラズマディスプレイパネルと、該プラズマディスプレイパネルの上部に位置し、前記光を集光する集光層と、該集光層上に位置し、前記集光された光が透過する複数個の開口部が形成される光透過層とを含むフィルターとを含む。
【００１３】
前記光透過層は、導電性メッシュ層である。
【００１４】
前記導電性メッシュ層は、黒色の導電性物質からなる。
【００１５】
前記導電性メッシュ層は、接地される。
【００１６】
前記導電性メッシュ層は、銅メッシュ層である。
【００１７】
前記銅メッシュ層の表面は、酸化によって黒くなる。
【００１８】
前記光透過層の表面は、酸化によって黒くなる。
【００１９】
前記集光層は、複数個の単位レンズからなるマイクロレンズアレイである。
【００２０】
前記各単位レンズの形状は、前記プラズマディスプレイパネルに向かう方向に膨らんでいる。
【００２１】
前記一つの単位レンズの焦点は、一つの開口部に形成される。
【００２２】
前記フィルターは、グラスフィルターまたはフィルムフィルターである。
【００２３】
本発明に係るフィルターは、プラズマディスプレイパネルの上部に位置し、前記光を集光する集光層と、該集光層上に位置し、前記集光された光が透過する複数個の開口部が形成される光透過層とを含む。
【００２４】
前記光透過層は、導電性メッシュ層である。
【００２５】
前記導電性メッシュ層は、黒色の物質からなる。
【００２６】
前記導電性メッシュ層は、銅メッシュ層である。
【００２７】
前記銅メッシュ層の表面は、酸化によって黒くなる。
【００２８】
前記光透過層の表面は、酸化によって黒くなる。
【００２９】
前記集光層は、複数個の単位レンズからなるマイクロレンズアレイである。
【００３０】
前記各単位レンズの形状は、前記光透過層に向かう方向の反対方向に膨らんでいる。
【００３１】
前記一つの単位レンズの焦点は、前記一つの開口部に形成される。
【発明の効果】
【００３２】
本発明のプラズマディスプレイ装置によれば、集光層が形成されたフィルターを含むことにより、輝度とコントラスト比とを向上させ、電磁波を遮蔽させることができる。
【発明を実施するための最良の形態】
【００３３】
以下、本発明の好ましい実施形態を添付された図面を参照して詳細に説明する。
【００３４】
図４は、本発明の実施形態に係わるフィルムフィルターを含むプラズマディスプレイ装置を示したものである。図４に示すように、本発明のプラズマディスプレイ装置は、外形を決めるフロントキャビネット４１１と、バックカバー４１２を含むケース４１０、ケースの内部に装着されるプラズマディスプレイパネル４２０、プラズマディスプレイパネル４２０を駆動するための駆動回路基板４３０、駆動回路基板４３０と接続されて、熱を外部へ放出するための放熱板４４０、コントラスト比と輝度とを向上させる集光層４０２を含むフィルムフィルター４００、フィルムフィルター４００を支持し、バックカバー４１２と電気的に接続させるフィルター支持部４７０及び駆動回路基板４３０とプラズマディスプレイパネル４２０とを支持するモジュール支持部４８０を含む。
【００３５】
本発明のフィルムフィルター４００は、近赤外線を遮蔽する近赤外線遮蔽膜４０１、電磁波を遮蔽する電磁波遮蔽膜４０３、入射された光の反射を防止する反射防止膜４０４、及びコントラスト比と輝度とを向上させるための集光層４０２を含む。
【００３６】
フィルムフィルター４００の電磁波遮蔽膜４０３は、複数個の開口部４０３ｂを有するメッシュタイプの黒色層４０３ａである。黒色層４０３ａは、表面が酸化されて、黒くなる銅メッシュであるため、黒色層４０３ａは、黒色を帯びながらも、優れた電気伝導度を有する。したがって、黒色層４０３ａは、プラズマディスプレイの表面から反射される光を減少させて、ディスプレイ装置のコントラスト比を向上させる。また、黒色層４０３ａは、接地されて、プラズマディスプレイパネルによって発生する電磁波を遮蔽する。
【００３７】
集光層４０２は、画像に該当する光を放出するプラズマディスプレイパネルの上部に位置する。集光層４０２の上部には、電磁波遮蔽膜４０３の機能をする黒色層４０３ａが位置する。集光層４０２は、マイクロレンズアレイ（micro rens array）である。
【００３８】
集光層４０２として使用されるマイクロレンズアレイは、複数個の単位レンズを含む。単位レンズの形状は、前面基板４２１に向かう方向に膨らんでいる。単位レンズの形状が前面基板４２１に向かう方向に膨らんでいると、単位レンズを通過する光は、単位レンズの焦点に集まる。プラズマディスプレイパネルの前面基板４２１から外部に放出される光が集光層４０２であるマイクロレンズアレイを通過すれば、マイクロレンズアレイの焦点が集光される。
【００３９】
マイクロレンズアレイの単位レンズの焦点は、黒色層４０２ａの一つの開口部４０３ｂの中央に位置する。マイクロレンズアレイ４０２の単位レンズを通過した光は、単位レンズの焦点が位置した一つの開口部４０３ｂの中央に集光された後、外部へ放出される。
【００４０】
集光層４０３のマイクロレンズアレイによって開口部４０３ｂの中央に光が集光されるので、プラズマディスプレイ装置の輝度が増加する。
【００４１】
また、外部からプラズマディスプレイパネルの前面基板４２１に入射する光は、黒色層４０３ａによってほとんど吸収される。黒色層４０３ａの開口部４０３ｂを介して入射された光は、プラズマディスプレイパネルの前面基板４２１に反射されても、黒色層４０３ａによって更に吸収される。つまり、プラズマディスプレイパネルの前面基板に反射された光の量が減少し、コントラスト比が改善される。
【００４２】
図５は、本発明の実施形態に係わるグラスフィルターを含むプラズマディスプレイ装置を示したものである。図５に示すように、本発明のプラズマディスプレイ装置は、外形を決めるフロントキャビネット５１１及びバックカバー５１２を含むケース５１０、ケース５１０の内部に装着されるプラズマディスプレイパネル５２０、プラズマディスプレイパネル４２０を駆動するための駆動回路基板５３０、駆動回路基板５３０と接続されて、熱を外部へ放出するための放熱板５４０、コントラスト比と輝度とを向上させる集光層５０２を含むグラスフィルター５００、グラスフィルター５００を支持し、バックカバー５１２と電気的に接続させるフィルター支持部５７０及び駆動回路基板５３０とプラズマディスプレイパネル５２０とを支持するモジュール支持部５８０から構成される。
【００４３】
本発明のグラスフィルター５００は、近赤外線遮蔽膜５０１、コントラスト比と輝度とを向上させるための集光層５０２、電磁波遮蔽膜５０３、ガラス基板５０５及び反射防止膜５０４を含む。
【００４４】
近赤外線遮蔽膜５０１、電磁波遮蔽膜５０３及び反射防止膜５０４の機能は、フィルムフィルターに含まれた近赤外線遮蔽膜４０１、電磁波遮蔽膜４０３及び反射防止膜４０４の機能と同じであるため、詳細な説明は省略する。
【００４５】
ガラス基板５０５は、近赤外線遮蔽膜５０１、集光層５０２、電磁波遮蔽膜５０３及び反射防止膜５０４の形成のためのベースの役割を果たし、プラズマディスプレイパネル５２０を保護する。
【００４６】
グラスフィルター５００の電磁波遮蔽膜５０３は、開口部４０３ｂを有するメッシュタイプの黒色層４０３ａである。黒色層４０３ａは、表面が酸化されて、黒くなる銅メッシュである。したがって、黒色層４０３ａは、プラズマディスプレイ装置のコントラスト比を向上させる。また、黒色層４０３ａは、接地されて、プラズマディスプレイパネルによって発生する電磁波を遮蔽する。
【００４７】
集光層５０２は、プラズマディスプレイパネルの上部に位置する。集光層５０２の上部には、電磁波遮蔽膜４０３の機能をする黒色層４０３ａが位置する。集光層４０２は、マイクロレンズアレイである。
【００４８】
集光層５０２として使用されるマイクロレンズアレイは、前面基板５２１に向かう方向に膨らむように形成された複数個の単位レンズを含む。単位レンズの形状が前面基板５２１に向かう方向に膨らんでいるので、プラズマディスプレイパネル５２０から放出されて、単位レンズを通過する光は、単位レンズの焦点に集まる。
【００４９】
マイクロレンズアレイの単位レンズの焦点は、黒色層５０３ａの一つの開口部５０３ｂの中央に位置する。したがって、マイクロレンズアレイ５０２の単位レンズを通過した光は、単位レンズの焦点が位置した一つの開口部５０３ｂの中央に集光された後、外部へ放出される。
【００５０】
集光層５０３のマイクロレンズアレイによって開口部５０３ｂの中央に光が集光されるので、プラズマディスプレイ装置の輝度が増加する。
【００５１】
また、外部からプラズマディスプレイパネルの前面基板５２１に入射する光は、黒色層５０３ａによってほとんど吸収される。黒色層５０３ａの開口部５０３ｂを介して入射された光は、プラズマディスプレイパネルの前面基板４２１に反射されても、黒色層５０３ａによって更に吸収される。つまり、プラズマディスプレイパネルの前面基板に反射された光の量が減少し、コントラスト比が改善される。
【図面の簡単な説明】
【００５２】
【図１】従来のプラズマディスプレイ装置の構造を概略的に示した図である。
【図２】従来のグラスフィルタを含むプラズマディスプレイ装置を示した図である。
【図３】従来のフィルムフィルターを含むプラズマディスプレイ装置を示した図である。
【図４】本発明の実施形態に係わるフィルムフィルターを含むプラズマディスプレイ装置を示した図である。
【図５】本発明の実施形態に係わるグラスフィルターを含むプラズマディスプレイ装置を示した図である。
【符号の説明】
【００５３】
１１０，４１０，５１０  ケース
１１１，４１１，５１１  フロントキャビネット
１１２，４１２，５１２  バックカバー
１２０，４２０，５２０  プラズマディスプレイパネル
１２１，４２１，５２１  前面基板
１３０  駆動装置
１４０  フレーム
１５０  フィルター
１５１  透明ガラス基板
１５２  反射防止フィルム層
１５３  カラーダイフィルム層
１５４  電磁波遮蔽フィルム層
１６０  フィンガースプリングガスケット
１７０  フィルター支持台
１８０  モジュールサポータ
４００  フィルムフィルター
４０１  近赤外線遮蔽膜
４０２  集光層
４０３，５０３  電磁波遮蔽膜
４０３ａ，５０３ａ  黒色層
４０３ｂ，５０３ｂ  開口部
４０４  反射防止膜
４３０，５３０  駆動回路基板
４４０，５４０  放熱板
５００  グラスフィルタ
５０１  近赤外線遮蔽膜
５０２  集光層
５０３  電磁波遮蔽膜
５０４  反射防止膜
５０５  ガラス基板
５７０  フィルター支持部
５８０  モジュール支持部
【図２】
2006163422.tif 000003
【図３】
2006163422.tif 000004
【図４】
2006163422.tif 000005
【図５】
2006163422.tif 000006
【図１】
2006163422.tif 000007